(57)【要約】【課題】横臥した使用者の背部を支持する部分の起伏動作を好適に行う事のできるベッドの提供。【解決手段】背部レスト２２と座部レスト２３と下腿部レスト２４とを有し、背部レスト２２が起伏可能とされ、その起立時に下腿部レスト２４が座部レスト２３に対して下向きに折れ曲がって椅子形となるベッドである。背部レスト２２と座部レスト２３は、パンタグラフ状の伸縮リンク機構４により屈曲自在に連結される。又、座部レスト２３と下腿部レスト２４は、パンタグラフ状の伸縮リンク機構６により屈曲自在に連結される。伸縮リンク機構４は、背部レスト２２の倒伏時に縮小し、背部レスト２２の起立時に伸長する。又、背部レスト２２の倒伏時に伸縮リンク機構６が伸長して下腿部レスト２４が座部レスト２３の一端側で水平状に展開し、背部レスト２２の起立時には伸縮リンク機構６が縮小して下腿部レスト２４が座部レスト２３に対して下向きに折れ曲がる。【選択図】図１
2009039288.tif 000002
【特許請求の範囲】
【請求項１】
使用者の背部を支持する起伏可能な背部レストと、使用者の臀部及び大腿部を支持する座部レストとを有するベッドにおいて、
前記背部レストと前記座部レストが、それらの底面側境界部分に配されて前記背部レストの倒伏時に縮小すると共に当該背部レストの起立時に伸長するパンタグラフ状の伸縮リンク機構により屈曲自在に連結されていることを特徴とするベッド。
【請求項２】
使用者の背部を支持する起伏可能な背部レストと、使用者の臀部及び大腿部を支持する座部レストと、使用者の下腿部を支持する下腿部レストとを有し、
前記背部レストの起立時に前記下腿部レストが前記座部レストに対して下向きに折れ曲がって椅子形となるベッドにおいて、
前記背部レストと前記座部レストが、それらの底面側境界部分に配されて前記背部レストの倒伏時に縮小すると共に当該背部レストの起立時に伸長するパンタグラフ状の第１の伸縮リンク機構により屈曲自在に連結される一方、
前記座部レストと前記下腿部レストは、それらの底面側境界部分に配されるパンタグラフ状の第２の伸縮リンク機構により屈曲自在に連結され、前記背部レストの倒伏時に前記第２の伸縮リンク機構が伸長して前記下腿部レストが前記座部レストの一端側で水平状に展開し、前記背部レストの起立時には前記第２の伸縮リンク機構が縮小して前記下腿部レストが前記座部レストに対して下向きに折れ曲がることを特徴とするベッド。
【発明の詳細な説明】
【技術分野】
【０００１】
本発明は、使用者の背部を支持する背部レストが起伏可能とされる構成のベッドに関するものである。
【背景技術】
【０００２】
使用者の背部を支持する背部レストが起伏可能とされる構成のベッドとして、従来から種々のものが知られる。
【０００３】
例えば、背部フレーム（背部レスト）、座部フレーム（座部レスト）、下腿部フレームおよび足部フレーム（下腿部レスト）を順番に配設して屈曲自在な床板フレームを形成し、その床板フレームがフラットな状態から椅子形状に屈曲するようにしたベッドが提案されている（特許文献１）。
【０００４】
又、ベースフレーム上に昇降可能なサイドフレームを設けると共に、サイドフレームのヘッド側とフット側にそれぞれスライドフレームを挿入し、それらスライドフレームとサイドフレームとにより形成されるベッド床面上に、ヒンジ接続される背上げフレーム（背部レスト）、第１膝上げフレーム（座部レスト）、及び第２膝上げフレーム（下腿部レスト）を設けたものが知られる（特許文献２）。
【０００５】
【特許文献１】実開平６−６４６３５号公報
【０００６】
【特許文献２】特開２００１−１９８１６５号公報
【発明の開示】
【発明が解決しようとする課題】
【０００７】
しかしながら、特許文献１、２に開示されるベッドによれば、背部レストと座部レストがその各一端部の間に介在されるヒンジにて結合され、そのヒンジを中心にして背部レストが上下方向に旋回して起伏するようになっているので、背部レストの起立時にはその上に配置されるマットレスが使用者の背部を強く圧迫し、使用者に不快感を与えてしまうという問題がある。
【０００８】
尚、以上のような問題を解消するには、背部レストと座部レストをマットレスの表面よりも高くなる位置でヒンジ結合すればよいが、この場合には背部レストの倒伏時にヒンジが上方に突出して邪魔になるという問題を惹起する。
【０００９】
一方、上記従来のベッドによれば、座部レストと下腿部レストもその各一端部の間に介在されるヒンジにより結合されるので、下腿部レストを下向きに折り曲げて椅子形にするとき、当該下腿部レストの一端が床面に干渉してその屈曲が行われなくなる虞があり、これを防止すべく下腿部レストを短くすると、ベッドとしての使用態様において全長が不足し、使用者の足が下腿部レストより食み出してしまう虞がある。
【００１０】
本発明は以上のような事情に鑑みて成されたものであり、その主たる目的は横臥した使用者の背部を支持する部分の起伏動作を好適に行うことのできるベッドを提供することにある。
【課題を解決するための手段】
【００１１】
本発明は上記目的を達成するため、
使用者の背部を支持する起伏可能な背部レストと、使用者の臀部及び大腿部を支持する座部レストとを有するベッドにおいて、
前記背部レストと前記座部レストが、それらの底面側境界部分に配されて前記背部レストの倒伏時に縮小すると共に当該背部レストの起立時に伸長するパンタグラフ状の伸縮リンク機構により屈曲自在に連結されていることを特徴とする。
【００１２】
又、使用者の背部を支持する起伏可能な背部レストと、使用者の臀部及び大腿部を支持する座部レストと、使用者の下腿部を支持する下腿部レストとを有し、
前記背部レストの起立時に前記下腿部レストが前記座部レストに対して下向きに折れ曲がって椅子形となるベッドにおいて、
前記背部レストと前記座部レストが、それらの底面側境界部分に配されて前記背部レストの倒伏時に縮小すると共に当該背部レストの起立時に伸長するパンタグラフ状の第１の伸縮リンク機構により屈曲自在に連結される一方、
前記座部レストと前記下腿部レストは、それらの底面側境界部分に配されるパンタグラフ状の第２の伸縮リンク機構により屈曲自在に連結され、前記背部レストの倒伏時に前記第２の伸縮リンク機構が伸長して前記下腿部レストが前記座部レストの一端側で水平状に展開し、前記背部レストの起立時には前記第２の伸縮リンク機構が縮小して前記下腿部レストが前記座部レストに対して下向きに折れ曲がることを特徴とする。
【発明の効果】
【００１３】
本発明によれば、使用者の背部を支持する背部レストと使用者の臀部及び大腿部を支持する座部レストが、背部レストの倒伏時に縮小すると共に当該背部レストの起立時に伸長するパンタグラフ状の伸縮リンク機構により屈曲自在に連結されることから、その伸縮リンク機構の伸縮により、使用者の背部を圧迫せずして背部レストを起伏させることが可能になる。
【００１４】
又、係る伸縮リンク機構は、背部レストと座部レストとの底面側境界部分に配されるので、背部レストの倒伏時にも当該伸縮リンク機構が邪魔にならない。
【００１５】
加えて、座部レストと下腿部レストもパンタグラフ状の第２の伸縮リンク機構により屈曲自在に連結され、背部レストの倒伏時に第２の伸縮リンク機構が伸長して下腿部レストが座部レストの一端側で水平状に展開するようにしていることから、下腿部レストの長さを小さくしながら横臥した使用者の全身を支持することのできる全長の大きなベッド面を形成することができ、しかも背部レストの起立時には第２の伸縮リンク機構が縮小して下腿部レストが座部レストに対して下向きに折れ曲がる構成としていることから、下腿部レストを床面に干渉させることなく椅子形への変換を確実に行うことが可能となる。
【発明を実施するための最良の形態】
【００１６】
以下、図面に基づいて本発明に係るベッドの構成を詳しく説明する。図１、図２は係るベッドの構成例を示した側面概略図であり、図１はベッドとしての使用態様を示し、図２は椅子形に変換した状態を示す。
【００１７】
図１、図２において、１は基台フレームであり、この基台フレーム１上には図１に示されるように使用者Ｍが横臥できるように展開する床板フレーム２が設けられる。本例において、床板フレーム２は、使用者Ｍの頭部を支持するヘッドレスト２１、使用者Ｍの背部を支持する背部レスト２２、使用者Ｍの臀部及び大腿部を支持する座部レスト２３、並びに使用者Ｍの下腿部を支持する下腿部レスト２４に区分されている。その各レスト２１〜２４は金属板などから成る硬質の板材で、それらにより構成される床板フレーム２上にはマットレス３が着脱自在に配置される。尚、マットレス３は、ヘッドレスト２１上に配置される第１部材３１、背部レスト２２上に配置される第２部材３２、座部レスト２３及び下腿部レスト２４上に配置される第３部材３３に切り分けられ、第３部材３３は下腿部レスト２４に対してその長さ方向（図１の左右方向）に摺動可能に配置されている。
【００１８】
ここに、ヘッドレスト２１は基台フレーム１に立てられる支柱１１，１２の上端に水平状にして固着され、背部レスト２２はヘッドレスト２１とは連結されず上下方向に旋回して起伏可能とされており、当該背部レスト２２と座部レスト２３はそれらの底面側境界部分に配される伸縮自在なパンタグラフ状の伸縮リンク機構４（第１の伸縮リンク機構）により屈曲自在に連結されている。尚、伸縮リンク機構４は、床板フレーム２の幅方向両側に設けられている。
【００１９】
図１、図２において、５は背部レスト２２を起伏させるための起伏装置であり、この起伏装置５は上下方向に旋回可能とされる旋回アーム５１と、この旋回アーム５１を旋回駆動するアクチュエータ５２とにより構成される。旋回アーム５１は長辺部５１Ａと短辺部５１Ｂとを有するＬ形で、その長辺部５１Ａ側が背部レスト２２に固着されており、短辺部５１Ｂ側の一端は基台フレーム１に固設したブラケット１３に枢軸５１Ｃにて結合されている。又、旋回アーム５１は、左右一対の伸縮リンク機構４の内側で背部レスト２２の幅方向両側に２つ並列状に設けられ、その両者５１，５１間には連結軸５１Ｄが架設されている。これにより、２つの旋回アーム５１が枢軸５１Ｃを中心にして上下方向に同調して旋回するようになっている。
【００２０】
一方、アクチュエータ５２は、本体部５２Ａと伸縮ロッド部５２Ｂとにより構成される流体圧シリンダ（ネジ軸がモータ駆動によって伸縮するものを含む）であり、その本体部５２Ａは基台フレーム１に揺動自在に取り付けられ、伸縮ロッド部５２Ｂの先端は上記連結軸５１Ｄの中間部分に接続されている。しかして、伸縮ロッド部５２Ｂを伸縮駆動すると左右一対の旋回アーム５１が枢軸５１Ｃを中心に旋回し、これにより背部レスト２２の起伏動作が行われる構成とされている。
【００２１】
尚、図１に示されるように、背部レスト２２の倒伏時において、旋回アーム５１は基台フレーム１との間に伸縮ロッド部５２Ｂを縮小させた状態で介在するアクチュエータ５２により図１の時計回りの旋回を規制され、背部レスト２２は旋回規制された状態の旋回アーム５１と上記支柱１２とにより水平状に支持される。
【００２２】
又、図１および図２で明らかなように、座部レスト２３と下腿部レスト２４は、上記伸縮リンク機構４と同様の構成を有する伸縮リンク機構６（第２の伸縮リンク機構）により屈曲自在に連結されている。このうち、下腿部レスト２４は、支点軸７を中心に上下方向に旋回可能に設けられている。支点軸７は、基台フレーム１に固設される左右一対のブラケット１４に架設されており、下腿部レスト２４の底面には支点軸７に連結する左右一対のアーム部２４Ａが固着されている。尚、伸縮リンク機構６は、左右一対のブラケット１４の外側で床板フレーム１の幅方向両側に設けられている。
【００２３】
そして、本願ベッドによれば、アクチュエータ５２の伸縮ロッド部５２Ｂを伸長せしめると、旋回アーム５１が枢軸５１Ｃを中心にして上方に９０度旋回し、これにより背部レスト２２が座部レスト２３側に旋回しながら起立し、このとき座部レスト２３が背部レスト２２に押されて下腿部レスト２４側に移動されるために、伸縮リンク機構６により座部レスト２３と連結される下腿部レスト２４が支点軸７を中心に図１の時計回りに旋回し、当該下腿部レスト２４が座部レスト２３に対し下向きに鋭角状に折れ曲がって図２のような椅子形になる。
【００２４】
特に、背部レスト２２の起立により、当該背部レスト２２、座部レスト２３、及び下腿部レスト２４が図２に示すよう椅子形に折れ曲がるとき、背部レスト２２側の伸縮リンク機構４は伸長し、下腿部レスト２４側の伸縮リンク機構６は逆に縮小するようになっている。
【００２５】
又、背部レスト２２の倒伏時には、図１のように、伸縮リンク機構４が縮小する一方、伸縮リンク機構６が伸長し、下腿部レスト２４が座部レスト２３の一端側で水平状に展開しながら、各レスト２１〜２４が水平方向に縦列状に配列して使用者Ｍを横臥状態に支持するベッド面が形成される。但し、本例において、背部レスト２２の倒伏時に座部レスト２３は背部レスト２２側よりも下腿部レスト２４側が若干高くなる傾斜状となり、これにより背部レスト２２の起立動作が行われている最中に使用者の臀部が下腿部レスト２４側に滑り動くことが防止されているほか、下腿部レスト２４が確実に下向きに折れ曲がるよう配慮されている。
【００２６】
尚、下腿部レスト２４が水平状に展開すると、伸縮リンク機構６の伸長により座部レスト２３との間に幅広の隙間Ｇが生ずるが、ブラケット１４にはアーム１５を介して上記隙間Ｇに収まる受座１６が取り付けられ、その受座１６により座部レスト２３と下腿部レスト２４との間の隙間Ｇでマットレス３（第３部材の中間部分）が支持されるようにしてある。
【００２７】
図３は、背部レスト２２と座部レスト２３との連結部分を示す。この図で明らかなように、伸縮リンク機構４は、長さの等しい第１の起伏リンク４１と第２の起伏リンク４２、第１の起伏リンク４１に平行する第３の起伏リンク４３、及び第２の起伏リンク４２に平行する第４の起伏リンク４４を具備して構成される。このうち、第１の起伏リンク４１と第２の起伏リンク４２は互いの中間部分が連接ピン４Ａにより結合されてクロスリンクを構成している。
【００２８】
又、背部レスト２２および座部レスト２３は、それぞれ底面部に連結用の突片２２Ａ，２３Ａを有しており、背部レストの突片２２Ａには第１の起伏リンク４１の一端が連接ピン４Ｂにより結合され、座部レストの突片２３Ａには第２の起伏リンク４２の一端が連接ピン４Ｃにより結合されている。
【００２９】
一方、第３、第４の起伏リンク４３，４４は、第１、第２の起伏リンク４１，４２の半分の長さに設定されている。第３の起伏リンク４３は、第１の起伏リンク４１に平行するようにして一端が連接ピン４Ｄにより第２の起伏リンク４２の一端に結合されると共に他の一端が連接ピン４Ｅにより突片２２Ａに結合されている。更に、第４の起伏リンク４４は、第２の起伏リンク４２に平行するようにして一端が連接ピン４Ｆにより第１の起伏リンク４１の一端に結合されると共に他の一端が連接ピン４Ｇにより突片２３Ａに結合されている。
【００３０】
つまり、第１〜第４の起伏リンク４１〜４４は、連接ピン４Ａ，４Ｂ，４Ｅ，４Ｄおよび連接ピン４Ａ，４Ｃ，４Ｇ，４Ｆを結ぶ線分がそれぞれ平行四辺形（菱形）となるように組み合わされている。そして、以上のような伸縮リンク機構４によれば、背部レスト２２と座部レスト２３との底面側境界部分に配しながら、座部レスト２３に対し背部レスト２２をその表面側を中心に折り曲げることが可能になる。詳しくは、背部レスト２２の起立時において、当該背部レスト２２は図３のように連接ピン４Ｂ，４Ｅを通る直線と連接ピン４Ｃ，４Ｇを通る直線との交点Ｐを中心にして上向きに折れ曲がるようになるのであり、このため背部レスト２２の起立時にその上に配置されるマットレス３（第２部材３２）で使用者の背部が強く圧迫されることを防止することができる。
【００３１】
尚、図３から明らかなように、背部レスト２２が垂直状態に起立したとき、座部レスト２３は伸縮リンク機構４の連接ピン４Ｂ，４Ｅを通る直線に平行して前下がりに傾斜するようになっており、これにより座部レスト２３に着座する使用者が容易に立ち上がれるよう工夫されている。
【００３２】
次に、図４および図５は座部レスト２３と下腿部レスト２４との連結部分を示す。尚、図４は下腿部レスト２４が座部レスト２３の一端側で水平状に展開した状態、図５は下腿部レスト２４が座部レスト２３に対して下向きに折れ曲がった状態である。これらの図で明らかなように、伸縮リンク機構６は、長さの等しい第１の膝折リンク６１と第２の膝折リンク６２、第１の膝折リンク６１に平行する第３の膝折リンク６３、及び第２の膝折リンク６２に平行する第４の膝折リンク６４を具備して構成される。このうち、第１の膝折リンク６１と第２の膝折リンク６２は、互いの中間部分が連接ピン６Ａにより結合されてクロスリンクを構成している。
【００３３】
又、座部レスト２３および下腿部レスト２４は、それぞれ底面部に連結用の突片２３Ｂ，２４Ｂを有しており、座部レストの突片２３Ｂには第１の膝折リンク６１の一端が連接ピン６Ｂにより結合され、下腿部レストの突片２４Ｂには第２の膝折リンク６２の一端が連接ピン６Ｃにより結合されている。
【００３４】
一方、第３、第４の膝折リンク６３，６４は、第１、第２の膝折リンク６１，６２の半分の長さに設定されている。第３の膝折リンク６３は、第１の膝折リンク６１に平行するようにして一端が連接ピン６Ｄにより第２の膝折リンク６２の一端に結合されると共に他の一端が連接ピン６Ｅにより突片２３Ｂに結合されている。更に、第４の膝折リンク６４は、第２の膝折リンク６２に平行するようにして一端が連接ピン６Ｆにより第１の膝折リンク６１の一端に結合されると共に他の一端が連接ピン６Ｇにより突片２４Ｂに結合されている。
【００３５】
つまり、第１〜第４の膝折リンク６１〜６４は、連接ピン６Ａ，６Ｂ，６Ｅ，６Ｄおよび連接ピン６Ａ，６Ｃ，６Ｇ，６Ｆを結ぶ線分がそれぞれ平行四辺形（菱形）となるように組み合わされている。そして、以上のような伸縮リンク機構６でも、座部レスト２３と下腿部レスト２４との底面側境界部分に配しながら、座部レスト２３に対し下腿部レスト２４をその表面側を中心に折り曲げることが可能になる。特に、係る伸縮リンク機構６では、下腿部レスト２４が座部レスト２３の一端側で水平状に展開すると、上記のように当該伸縮リンク機構６が伸長して座部レスト２３と下腿部レスト２４との間に幅広な隙間Ｇが形成されるのであり、このため下腿部レスト２４の長さを小さくしながら横臥した使用者の全身を支持することのできる全長の大きなベッド面を形成することができ、しかも背部レスト２２の起立時には、図５のように伸縮リンク機構６が縮小して上記隙間Ｇを詰めながら、下腿部レスト２４が座部レスト２３に対して下向きに折れ曲がるために、下腿部レスト２４を床面に干渉させることなく椅子形への変換を確実に行うことができる。
【００３６】
以上、本発明の好適な一例を図面に基づき説明したが、係るベッドは上記例に限定されるものでなく、ヘッドレスト２１と背部レスト２２とを一体構造とし、ヘッドレスト２１が背部レスト２２と一体として起伏するようにしてもよい。
【００３７】
又、上記例では、背部レスト２２が上下方向に９０度旋回して倒伏時に水平状となり、起立時には垂直となるようにしたが、背部レスト２２の起立時に、これが後方に若干傾斜するようにしてもよい。
【図面の簡単な説明】
【００３８】
【図１】本発明に係るベッドを示す側面概略図（ベッドとしての使用態様）
【図２】同ベッドを椅子形に変換した状態を示す側面概略図
【図３】背部レストと座部レストとの連結部分を示す拡大図
【図４】座部レストと下腿部レストとの連結部分を示す拡大図
【図５】下腿部レストが下向きに折れ曲がるときの状態を示す説明図
【符号の説明】
【００３９】
１  基台フレーム
２  床板フレーム
２２  背部レスト
２３  座部レスト
２４  下腿部レスト
３  マットレス
４  伸縮リンク機構（第１の伸縮リンク機構）
５  起伏装置
５１  旋回アーム
５２  アクチュエータ
６  伸縮リンク機構（第２の伸縮リンク機構）
【図１】
2009039288.tif 000003
【図２】
2009039288.tif 000004
【図３】
2009039288.tif 000005
【図４】
2009039288.tif 000006
【図５】
2009039288.tif 000007